(57)【要約】【課題】  トラクタの後側部に装着の耕耘爪ロータによって耕耘する耕耘土壌面を、培土器乃至畦立器等によって、この耕耘幅よりも広い広幅畝を形成する場合は、トラクタの後部に培土器を装着して培土畝立作業を広幅間隔に、前記耕耘作業行程とは独立行程として行うため多くの作業行程を要し、非能率的である。【解決手段】  所定幅の土壌面を耕耘する耕耘爪ロータ１後側部の左右一側端部に、溝切り培土する土壌を耕耘幅内側へ培土する片側培土板２を形成した片培土器３を配置し、この片培土器３の後部には、前記片側培土板２の後方に延長形成されて、この片側培土板２によって培土された培土法面を摺動押圧する押え板４を設けた広幅の畝成形装置。【選択図】  図２
2014230495.tif 000002
【特許請求の範囲】
【請求項１】
所定幅の土壌面を耕耘する耕耘爪ロータ（１）後側部の左右一側端部に、溝切り培土する土壌を耕耘幅内側へ培土する片側培土板（２）を形成した片培土器（３）を配置し、この片培土器（３）の後部には、前記片側培土板（２）の後方に延長形成されて、この片側培土板（２）によって培土された培土法面を摺動押圧する押え板（４）を設けたことを特徴とする畝成形装置。
【請求項２】
前記片培土器（３）の片側培土板（２）は、前端部の培土先（５）に対して左右揺動可能に設け、前記培土先（５）の後方に亘って垂直状に形成の側板（６）と、これら片側培土板（２）、及び押え板（４）との間を、拡縮連結具（７）、（８）で連結して、これら連結具（７）、（８）の拡縮によって、側板（６）に対する片側培土板（２）、又は押え板（４）の傾斜角度を調節可能に設けたことを特徴とする請求項１に記載の畝成形装置。
【請求項３】
前記片培土器（３）の外側部に位置する畝間土壌面を掻き均す掻均板（９）を設けたことを特徴とする請求項１、又は請求項２に記載の畝成形装置。
【請求項４】
前記耕耘爪ロータ（２）の前側左右側端部には、耕耘幅域内に前尾輪（１０）、（１１）を配置し、片培土器（３）の後部には、培土溝底部を支持する広幅の尾輪（１２）を配置し、この尾輪（１２）と反対側の畝上面を支持する狭幅の尾輪（１３）を配置したことを特徴とする請求項１、請求項２、又は請求項３に記載の畝成形装置。
【発明の詳細な説明】
【技術分野】
【０００１】
トラクタの耕耘爪ロータによって耕耘される土壌面を、簡単な片培土器の装着によって広幅畝形態に成形する畝成形装置に関する。
【背景技術】
【０００２】
圃場面の畦際土壌の一部を畦法面部へ移動させて畦塗器によって畦塗成形する技術（例えば、特許文献１参照）や、トラクタ耕耘ロータの後部に複数の畝立器を設けて複数条の畝条を作成する技術（例えば、特許文献２参照）等がある。
【先行技術文献】
【特許文献】
【０００３】
【特許文献１】特開２００８ー２３７０６０号公報
【特許文献２】特開２００２ー２６２６０１号公報
【発明の概要】
【発明が解決しようとする課題】
【０００４】
トラクタの後側部に装着の耕耘爪ロータによって耕耘した耕耘土壌面を、培土器、乃至畝立器等によって、適宜幅の藩種畝、栽培畝等を形成する場合は、各畝幅が耕耘爪ロータによる耕耘幅よりも狭い領域に設定される形態となるもので、この畝幅を耕耘幅よりも広く形成する場合は、複条行程の耕耘行程による平耕耘作業を行った耕耘作業行程後に、トラクタの後部に培土器を装着して培土畝立作業を広幅間隔にして、しかも前記耕耘作業行程とは独立行程として行うため、多くの作業行程を要し、非能率的である。
【課題を解決するための手段】
【０００５】
請求項１に記載の発明は、所定幅の土壌面を耕耘する耕耘爪ロータ１後側部のリヤカバー１４部の左右一側端部に、溝切り培土する土壌を耕耘幅内側へ培土する片側培土板２を形成した片培土器３を配置し、この片培土器３の後部には、前記片側培土板２の後方に延長形成されて、この片側培土板２によって培土された培土法面を摺動押圧する押え板４を設けた畝成形装置の構成とする。
【０００６】
請求項２に記載の発明は、前記片培土器３の片側培土板２は、培土先５に対して左右揺動可能に設け、前記培土先５の後方に亘って垂直状に形成の側板６と、これら片側培土板２、及び押え板４との間を、拡縮連結具７、８で連結して、これら連結具７、８の拡縮によって、側板６に対する片側培土板２、又は押え板４の傾斜角度を調節可能に設ける。
【０００７】
請求項３に記載の発明は、前記片培土器３の外側部に位置する畝間土壌面を掻き均す掻均板９を設ける。
請求項４に記載の発明は、前記耕耘爪ロータ１の前側左右側端部には、耕耘幅域内に対向して前尾輪１０、１１を配置し、片培土器３の後部には、培土溝底部を支持する広幅の尾輪１２を配置し、この尾輪１２と反対側の畝上面を支持する狭幅の尾輪１３を配置する。
【発明の効果】
【０００８】
請求項１に記載の発明は、耕耘爪ロータ１による耕耘片培土作業を、往復耕耘行程によって各々行わせることにより、該ロータ１の耕耘幅よりも広い広幅耕耘形態として、この耕耘幅の両側に沿って片培土器３、及び片側培土板２による培土溝部を形成して、広幅域の畝立土壌面を形成することができる。この耕耘爪ロータ１のリヤカバー１４の一側端部下面に位置して配置の片培土器３や、片側培土板２等は往、復畝立て培土行程共に定位置に設定された状態にあるから、片培土器を着脱したり、取付位置を切替えたりする等の特別の培土作業操作等を要することなく、簡単で安定した構成とすると共に、作業操作を簡単にすることができ、培土作業を容易に行わせることができ、作業性を高めることができる。
【０００９】
また、前記耕耘土壌面の左側横端部が片培土器３によって培土されて、培土溝部の土壌が右側の耕耘幅中央部側へ培土されて、リヤカバー１４によって上面を鎮圧均平しながら往行程の片側畝、乃至畝法面を形成すると共に、この畝法面を片側培土板２後端部の押え板４によって押圧摺動し鎮圧して締め固め、安定させることができる。
【００１０】
しかも、前記培土先５の外側から後方へ伸びる垂直形態の側板６を設ける形態にあっては、前記培土溝部の左側溝側面を垂直形態に形成するが、この左側土壌面は前記耕耘爪ロータ１によっては直接耕耘していないため、この側板６による土壌層厚の溝切側面が固く締まった土壌密度の状態に維持されて、崩れがたく安定した形態に成形される。この側板６によって形成される左側の溝側面と、前記片側培土板２及び押え板４により形成される右側の畝法面との間に、培土先５や片側培土板２の、底面や下端縁等で、所定幅の溝底面が形成されて、土壌の崩れ落ちの少ない片培土溝底面を形成する。
【００１１】
請求項２に記載の発明は、前記片培土板２の角度を設定するための連結具７や、押え板４の角度を設定するための連結具８等の伸縮操作によって、片側培土板２と、押え板４との横方向への傾斜（培土）角度θを変更調節することができ、培土畝土壌の裏面を鎮圧し、押圧し、締め固めることができるが、この片側培土板２や押え板４等の開き角度θを大きくすることによって、培土成形圧力を高くすることができ、又、培土溝底部の溝幅を広く形成することができると共に、片培土溝幅の大小や、深さ等に応じた適切な摺動培土成形位置に設定して、きれいな培土畝法面成形を円滑に行うことができる。又、培土溝底部の溝幅を広く形成することができる。
【００１２】
しかも、前記片側培土板２や、押え板４等を、前側のリヤカバー１４に対して固定することなく左右揺動可能な形態とすることによって、構成を簡単にして、培土畝法面の成形圧力調節操作を簡単、容易に行うことができる。
【００１３】
前記片培土器３は、ロータ１によって耕耘される土壌面を鎮圧均平するリヤカバー１４の横端下に取付けるものであるから、この片培土器３によって培土される土壌面を、このリヤカバー１４の上下揺動によって鎮圧均平して、片培土器３による培土溝部の成形を安定した状態に行わせることができ、しかも、片培土器３をリヤカバー１４の下側に位置させて、耕耘爪ロータ１の回転後面に接近させて、畝成形装置としての前後長を短縮化し、コンパクトな構成として、作業性を良好に維持させることができ、片培土器３がリヤカバー１４と一体的に上下動するため、このリヤカバー１４で成形畝土壌に鎮圧力を十分に働かせながら、この片培土器３による培土溝部Ｍを略一定深さに形成し、過負荷を吸収して円滑な広幅畝成形作業を行わせることができる。
【００１４】
請求項３に記載の発明は、前記のように片培土器３は、耕耘土壌面幅の横端部に沿って推進しながら片培土溝を形成しながら、片培土畝を形成するが、この片培土器３の側板６部の外側には適宜高さの位置に掻均板９が突出していて、この側板の外側部の土壌面部を削り取り、均平な土壌面に掻き均す。このように、耕耘土壌は片培土器３によって培土形成される土壌面の上側面をリヤカバー１４で鎮圧して安定した崩れ難い畝立面を形成する。そして片培土器３によって形成された跡の培土溝部は、片培土器３によって培土されない側板６の外側部の土壌は、高低の変化があっても、これが掻均板９によって高さ、及び均平幅を一定にするように均平成形して、この培土作用を円滑に行わせることができ、培土溝部の仕上げをきれいに、良好に行わせることができる。広幅畝成形後に、この左右畝部間の、畝間、乃至培土溝間の土壌面を、作業者の歩き易くしたり、作物保護機構の設置を容易化し易くする等の、利用し易くすることができる。
【００１５】
請求項４に記載の発明は、前記耕耘爪ロータ１、及び片培土器３は、前側の左右の尾輪１０、１１で耕耘前側の土壌面に接地支持され、後側の左右の尾輪１２、１３で耕耘培土跡の培土溝部や耕耘土壌面部に支持される。この後側片培土器３側部の尾輪１２は幅広く形成されていて、片培土器３の後側の培土溝底部に接地支持して、この方培土器３部側の耕耘片培土作用を安定させることができる。又、この片培土器３側と反対側の尾輪１３は狭幅に形成しているため、広幅培土畝の耕耘土壌面に成形した畝幅の略中央部位置を接地しても、接地支持幅を狭くして、しかも軽くすることができて、この畝幅中央部における尾輪１３接地による耕耘土壌面の局部的な鎮圧や、掻き乱し、荒れ等を減少して、きれいな広幅畝仕上げを円滑に行わせることができる。
【００１６】
しかも、前記片培土器３、及びこの後側に設ける片側培土板２や、押え板４等を有して、片培土畝を往復行程で成形しながら、広幅の培土畝を形成するものでありながら、前記前側の左、右尾輪１０、１１や、後側の左、右尾輪１２、１３によって、左右バランス良く支持維持して、上下揺動や、ローリング、及び傾斜変動等を少なくすることができ、水平面状で、きれいな広幅畝を安定して成形することができる。
【図面の簡単な説明】
【００１７】
【図１】畝成形装置部の側面図。
【図２】その平面図。
【図３】その尾輪部の背面図。
【図４】その培土畝成形形態の背面図。
【図５】その片培土器の斜視図。
【図６】その側面図。
【図７】その平面図。
【図８】畝成形装置部の平面図。
【図９】その尾輪部の背面図。
【図１０】その作業状態を示す背面図。
【発明を実施するための形態】
【００１８】
図面に基づいて、耕耘爪２０を耕耘軸２１の周りに配設した耕耘爪ロータ１は、四輪走行形態のトラクタ（図示しない）の後部に、ロアリンク、トップリンク、及びリフトアームに連結のリフトリンク等からなるリフトリンク機構を介して装着されて、この車体後部のＰＴＯ軸から入力軸２３を連動して駆動回転して耕耘することができる。
【００１９】
耕耘爪ロータ１は、耕耘軸２１の左右両端部を軸受けする耕耘軸ケース１６の上端部間に亘って伝動ケース１７を設け、この伝動ケース１７の前側に形成のロアブラケット１８、及びトップブラケット１９を、前記リフトリンク機構の後端部に連結のヒッチリンクに係合させて連結する。トップブラケット１９のトップピン２４を掬い上げることによって、ロアブラケット１８をヒッチリンクに引寄せ接近させて係合連結させることができる。また、前記ロータ１の回転は逆回転駆動させてアップカット形態として耕耘することも可能である。
【００２０】
前記耕耘爪ロータ１の回転上周部を覆うロータカバー１５を有し、このロータカバー１５の後端部にカバーピン２４周りに上下回動可能のリヤカバー１４を設けて、ロータ１の回転によって耕耘する耕耘土壌面を鎮圧して均平するように構成している。前記伝動ケース１７の中央部から後方に亘ってリヤフレーム２５を突出して、このリヤフレーム２５の後端部に、左右両側一対の尾輪１２、１３を有する尾輪フレーム２６を装着する。この尾輪フレーム２６の後端部で、左右両側端部には、上下方向のソケット２７、２８を有して、各ソケット２７、２８に上端部のハンドル３４、３５回動操作によって上下動する尾輪ロッド２９、３０を設け、これら各尾輪ロッド２９、３０の下端部に左右揺動自在のキャスターアーム３１、３２を介して回転自在に軸装３３、３３の尾輪１２、１３を設ける。進行方向に対して左側の尾輪１２は幅広く形成し、これに対して右側の尾輪１３は幅狭く形成している。
【００２１】
又、前記リヤフレーム２５と下方のリヤカバー１４との間には、スプリング３４等を有するダンパー機構３５を設けて、前記リヤカバー１４の後端部を下方へ弾発させている。前記トップブラケット１９とリヤフレーム２５との間には、ハンドル３６によって伸縮調節する伸縮ロッド３７を設けて、リヤフレーム２５の伝動ケース１７部に対する上下位置を調節変更し、畝高さを調節することができる。
【００２２】
畝成形装置は、耕耘爪ロータ１の一側後部のリヤカバー１４の左側端下部に位置して、この耕耘爪ロータ１によって耕耘される耕耘土壌の横端部を内側へ培土する片培土器３と、この片培土器３の後側に取付けられて培土溝Ｍ部の土壌を右側へ培土案内する片側培土板２を設けて、片培土畝立装置を構成している。
【００２３】
図２においては、片培土器３をリヤカバー１４の左側端部に設けて、進行方向に対して右側へ片側培土するように構成しているが、片培土器３を、これとは反対の右側端部に設けて、左側へ片培土する形態とすることも可能である。又、前記片培土器３をリヤカバー１４の左側端と、右側端とに付替て作業状態に適応した片培土作業を行い易くすることも可能である。この要な畝立装置の往、復作業走行の往行程Ｆと、復行程Ｒにより耕耘爪ロータ１幅Ｌよりも略二倍の幅に広幅Ｂ域の畝Ｄを畝立成形する構成とする。
【００２４】
トラクタ車体の後部に装着の耕耘爪ロータ１の左、右いずれか一側後部のリヤカバー１４の下面部に片培土器３、及び片側培土板２を取付けて、耕耘走行しながら培土作業を行う。このとき往行程Ｆで行われる耕耘爪ロータ１による耕耘幅Ｌの土壌面の一側の畦立装置の位置する（左）側の土壌面が、この畦立装置による培土作用を受けて片培土作用が行われる。即ち、耕耘土壌面の左側横端部が片培土器３によって培土されて、培土溝部Ｍの土壌が右側の耕耘幅中央部Ｃ側へ培土されて、リヤカバー３によって上面を鎮圧均平しながら往行程Ｆの片側畝幅Ａの片培土畝を培土形成する。
【００２５】
次に、往行程Ｆにおいて、前記左側の片培土した耕耘土壌面幅Ｌ域の培土溝部Ｍ側とは反対側（右側）に隣接する未耕耘域の土壌面を折返して復行程Ｒを耕耘走行することによって、前記往行程Ｆ時と同様に耕耘、片培土作用が行われ、しかも、この片培土作用は、前記往行程Ｆにおける培土位置とは反対側の位置において同様に行われるため、往行程Ｆと復行程Ｒとの耕耘土壌面は前記耕耘幅部のセンタラインＣ部で相互に同一耕耘土壌面に連続して、耕耘土壌畝面Ｄとした形態に広幅Ｂに形成され、この広幅Ｂ（耕耘爪ロータ幅、乃至片側耕耘幅Ｌの二倍幅）の耕耘土壌面Ｄの左、右両側端部に沿って、各片培土器３、片側培土板２等による培土作用が行われて、広幅Ｂの耕耘土壌の培土畝面Ｄと、この左右両側の培土溝部Ｍ、Ｍを形成する。従って、片培土器３及び片側培土板２は、ロータ１のリヤカバー１４の一側端部に取付けた状態のままで、単に耕耘土壌面を往復耕耘走行することによって広幅Ｄの畝立成形を行うことができる。
【００２６】
又、前記片培土器３は、耕耘爪ロータ１の回転後部を覆って上下揺動可能に設けるリヤカバー１４の後部下面に取付けて、このリヤカバー１４で鎮圧する耕耘土壌を前記片培土器３によって片側培土して培土溝部Ｄを形成する。
【００２７】
前記片培土器３を装着するリヤカバー１４は、耕耘爪ロータ１の上部を覆うロータカバー１５の後側にカバーピン２４周りに上下回動可能に装着されて、耕耘爪ロータ１によって耕耘される耕耘土壌面を鎮圧しながら均平に形成すると共に、この土壌を片培土器３によって培土する。従って、このリヤカバー１４の下面に装着されて耕耘土壌面を片培土する土壌面をも、このリヤカバー３によって鎮圧しながら均平化して、培土跡の培土溝部Ｍ部側の法面の崩れを少くするように形成し、更に、この片培土器３によって形成される培土溝部Ｍの土壌法面を後側の片側培土板２、及びこの後側の押え板４によって、右側へ培土成形して、より安定した培土溝部Ｍを形成する。
【００２８】
又、前記片側培土板２は、前記リヤカバー１４の後方位置に突出させて設け、このリヤカバー１４下側で左側端部に位置する片培土器３の後部に取付ける。
前記のように片培土器３は、リヤカバー１４の左端下面側に設けられているため、この片培土器３によって培土形成される土壌面Ｄの上側面をリヤカバー３で鎮圧して安定した崩れ難い畝立面を形成する。このように片培土器３によって形成された跡の培土溝部Ｍ、Ｍには、片培土器３によって培土されない側の土壌や、崩れ落ちた土壌等の残留土壌や、前記リヤカバー１４による鎮圧作用を受けない状態の土壌等があるが、この片培土板３の片側培土板２や、押え板４による培土作用を行わせることができるため、培土作用を円滑に行わせることができ、培土溝部Ｍ、及び片培土畝法面等の仕上げを、きれいに、良好に行わせることができる。
【００２９】
更に、前記片側培土板２、及びこの後端部の押え板４は、片培土器３の側板４に対して左右外側へ回動可能に設け、培土角度θを拡縮調整可能に設ける。
前記リヤカバー１４の下側に位置する片培土器３によって形成される培土溝部Ｍは、培土先５後部の左側板６と、この右側の片側培土板２、及びこの後端部の押え板４とによる培土作用が行われて、側板６の左外側への土押し出し、乃至土残しをなくして、所定溝底幅で安定したきれいな培土溝Ｍを成形する。このとき片培土溝Ｍの左側側面は、垂直の側板６によって成形されるため垂直状面に形成され、右側に所定培土角度θに開く片培土板２や、押え板４によって耕耘土壌面部側へ培土して、傾斜側面形態の畝法面を摺動押圧して押し固める。
【００３０】
そして、この片培土器３の後側部の片側培土板２はターンバックル等の連結具７によって右側へ適宜の開度θに拡縮調節されて、所定の溝幅形成に適合するようにして、片培土溝Ｍ幅、乃至溝幅右側端の法面Ｇを摺動圧接して、安定した培土溝部Ｍの右側法面Ｇを押圧形成することができる。このような片側培土板２の開度θ調節においては、上側にリヤカバー１４が無く、このリヤカバー１４による鎮圧作用が働かないため、片側培土板２の回動を容易化すると共に、前記法面Ｇに対する片側培土板２による仕上げ培土作用は、リヤカバー１４による均平作用から遅れて行われるため、片側培土板２による法面Ｇに対する培土を正確に、円滑に行って、きれいに法面仕上げすることができる。
【００３１】
また、この片側培土板２の後端部に連結の押え板４も連結具８によって、前記片側培土板２と同様にして側板６に対する開度（培土）角度θを拡縮調節することができる。このように前後の片側培土板２と押え板４は、各連結具７、８による調節によって各別に開度を設定されるため、培土形成される培土溝Ｍの溝幅の狭、広に対応じて、片側側培土板２により押え板４の法面Ｇに対する培土作用位置を接近させて、この押え板４の法面Ｇに対する前後方向の法面摺動長さを長くするように設定して、培土法面Ｇの鎮圧力、乃至押圧力を適切に、有効に働かせることができる。
【００３２】
前記リヤカバー１４は、後下端縁部に沿って耕耘幅Ｌに亘って左右水平状に均平する均平部３８を形成する。このリヤカバー１４の左、右横端部の下面側に片培土器３を着脱可能の構成としている。片培土器３は、リヤカバー１４の左端側、又は右端側のいずれか一側にのみ取付構成するが、図２の場合は、左側部にのみに選択的に取付け可能の構成している。この形態では、片培土器３は、培土方向が相互に反対方向になるため、培土作業にあたっては、取付ける側に適応する毎の片培土器３を各別に用意する必要がある。従って、又、この後側に取り付ける片側培土板２や、押え板４等も左右各別に用意することを要する。
【００３３】
前記リヤカバー１４の後下端部の左、右両側端のサイドカバー３９内側のコーナ部４０を切除した形態として、このコーナ部４０を閉鎖するように着脱するコーナカバー４１を設ける。前記片培土器３は、このコーナカバー４１の下面に一体的に取付けて、このコーナカバー４１をコーナ部４０に取付けることによって片培土器３を装着した状態とする形態としている。又、片培土器３を装着しない側のコーナ部４０（図２のリヤカバー１４では右端側のコーナ部４０を示す）は、片培土器３を有しない単なるコーナカバー４１のみを取付けて、この右端部のコーナ部４０を均平可態の形態としている。
【００３４】
前記片培土器３の外側部に位置する畝間土壌面を掻き均す掻均板９を設ける。前記リヤカバー１４の後側部のリヤブラケット４２から、左横方向に亘って取付ブラケット４３を取付け、この取付ブラケット４３の横端部に、前記片培土器３、及び掻均板９を取り付ける。片培土板３は、この片側培土板３２部を取付ブラケット４３の内側部（培土畝部側）に重合させて、この重合併せ部をボルト締め部４４で締め付けて取り付ける。又、前記片培土器３の前端上部はボルト４５によって、ロータカバー１５の左側側端縁部を前後方向の沿うサイドフレーム４６に締め付けて固定し、又、このサイドフレーム４６には前記片培土器３の側板６の上縁部をもボルト４７締め等によって締付けて固定している。これら取付けブラケット４３とサイドフレー４６を、リヤカバー１４から取り外すことによって、前記片培土器３や、この後端部の押え板４等を、前記リヤカバー１４部から取り外すことができる。
【００３５】
前記片培土器３は、前記のように耕耘土壌面部の左側端部に沿って、片培土形成すると共に、片培土溝を形成するものであるが、前記掻均板９は、片培土器３の後部に取付けて、片培土器３の外側部の側板６の外側部に突出していて、この方培土器３によって成形される培土溝部の外側の土壌面部が所定の高さに削り取られて掻き均される。
【００３６】
前記のように片培土器３は、耕耘土壌面幅の横端部に沿って推進しながら片培土溝を形成しながら、片培土畝を形成するが、この方培土器３の側板６部の外側には適宜高さの位置に掻均板９が突出していて、この側板の外側部の土壌面部を削り取り、均平な土壌面に掻き均す。このように、耕耘土壌は片培土器３によって培土形成される土壌面の上側面をリヤカバー３で鎮圧して安定した崩れ難い畝立面を形成する。そして片培土器４によって形成された跡の培土溝部は、片培土器３によって培土されない側板６の外側部の土壌は、高低の変化があっても、これが掻均板９によって高さ、及び均平幅を一定にするように均平成形して、この培土作用を円滑に行わせることができ、培土溝部の仕上げをきれいに、良好に行わせることができる。
【００３７】
又、前記耕耘爪ロータ１の前側左右側端部には、耕耘幅域内に対向して前尾輪１０、１１を配置し、片培土器３の後部には、培土溝底部を支持する広幅の尾輪１２を配置し、この尾輪１２と反対側の畝上面を支持する狭幅の尾輪１３を配置する。
【００３８】
前記耕耘爪ロータ１、及び片培土器３は、前側の左右の尾輪１０、１１で耕耘前側の土壌面に接地支持され、後側の左右の尾輪１２、１３で耕耘培土跡の培土溝部や耕耘土壌面部に支持される。この後側片培土器３側部の尾輪１２は幅広く形成されていて、片培土器３の後側の培土溝底部に接地支持して、この方培土器３部側の耕耘片培土作用を安定させることができる。又、この方培土器３側と反対側の尾輪１３は狭幅に形成しているため、広幅培土畝の耕耘土壌面に成形した畝幅の略中央部位置接地しても、接地支持幅を狭くして、しかも軽くすることができて、この畝幅中央部における尾輪１３接地による耕耘土壌面の局部的な鎮圧や、掻き乱し、荒れ等を減少して、きれいな広幅畝仕上げを円滑に行わせることができる。
【符号の説明】
【００３９】
１    耕耘爪ロータ
２    片側培土板
３    片培土器
４    押え板
５    培土器
６    側板
７    連結具
８    連結具
９    掻均板
１０    尾輪
１１    尾輪
１２    尾輪
１３    尾輪
１４    リヤカバー
【図１】
2014230495.tif 000003
【図２】
2014230495.tif 000004
【図３】
2014230495.tif 000005
【図４】
2014230495.tif 000006
【図５】
2014230495.tif 000007
【図６】
2014230495.tif 000008
【図７】
2014230495.tif 000009
【図８】
2014230495.tif 000010
【図９】
2014230495.tif 000011
【図１０】
2014230495.tif 000012